(57)【要約】      （修正有）【課題】オペレータが氷塊に直接触ることなく、かき氷を作ることができるかき氷製造機用氷容器を提供する。【解決手段】氷容器１が、底部に貫通孔２ａが形成されたカップ本体２と、貫通孔２ａを液密に閉塞する底板部材３とを具備したものであり、貫通孔２ａがかき氷製造機の押さえ部材を挿入可能な大きさであるとともに、底板部材３が、氷容器１の開口Ｐ側に向かう所定力を受けると、カップ本体２から開口Ｐ側に離脱するように構成した。【選択図】図２
2017101911.tif 000002
【特許請求の範囲】
【請求項１】
切削刃が設けられた削氷台上に氷塊を設置し、該氷塊を押さえ部材によって削氷台に押さえつけて回転させ、前記切削刃で氷塊を削り取るカキ氷製造機に用いられるものであり、カップ状をなし、その開口から入れられた液体を凍らせることによって前記氷塊を形成するものであって
底部に貫通孔が形成されたカップ本体と、前記貫通孔を液密に閉塞する底板部材とを具備し、前記貫通孔が前記押さえ部材を挿入可能な大きさであるとともに、前記底板部材が、その外面に前記押さえ部材が当接して前記開口側に向かう所定力を受けると、前記カップ本体から開口側に離脱するように構成されたものであることを特徴とするかき氷製造機用氷容器。
【請求項２】
前記カップ本体の内径が開口側に向かうにつれ大きくなるように構成してあることを特徴とする請求項１記載のかき氷製造機用氷容器。
【請求項３】
前記底板部材が、平板状をなす底板本体と、該底板本体の周縁から周回するように起立する起立壁とを具備したものであり、前記起立壁の外周面が前記カップ本体の内周面に密着するように構成してあることを特徴とする請求項１又は２記載のかき氷製造機用氷容器。
【請求項４】
前記底板部材の外面に、前記押さえ部材と係合するための係合部が設けられていることを特徴とする請求項１乃至３いずれか記載のかき氷製造機用氷容器。
【請求項５】
前記底板部材の内面に氷と係合するための凹凸部が設けられている請求項１乃至４いずれか記載のかき氷製造機用氷容器。
【発明の詳細な説明】
【技術分野】
【０００１】
本発明は、かき氷製造機に用いられる氷（水を凍らせたものの他、果実を凍らせたものや、果汁を凍らせたもの、果実に果汁、蜜液、水、香料等を混ぜて凍らせたもの等を含む。）を収容する氷容器に関するものである。
【背景技術】
【０００２】
ブロック状の氷塊を削るタイプのかき氷製造器は、切削刃が設けられた削氷台上に氷塊を戴置し、該氷塊を押さえ部材によって上から押さえつけて回転させ、切削刃で氷塊の表面を削り取ることによってかき氷を作るようにしてある（特許文献１、２）。
【０００３】
ところが、このような構成では、氷塊を削氷台上に載せるときに、氷塊に触れざるを得ず、これを例えば素手で行うとなると、衛生面上、問題となることがある。もちろん、手袋を装着するなどすれば、その問題を解決することはできようが、例えば店員が手袋を着用し忘れることまでは防止できず、１００％の解決手段とはいえない。
【先行技術文献】
【特許文献】
【０００４】
【特許文献１】特開２０１４−２２６０４５
【特許文献２】特開２０１５−０６４１９８
【発明の概要】
【発明が解決しようとする課題】
【０００５】
本発明は、かかる課題を解決すべく図ったものであって、手を全く触れずに、氷塊を切削台上に戴置でき、かき氷を作ることのできるかき氷製造機用氷容器を提供することをその主たる所期課題としたものである。
【課題を解決するための手段】
【０００６】
すなわち、本発明に係るかき氷製造機用氷容器は、切削刃が設けられた削氷台上に氷塊を設置し、該氷塊を押さえ部材によって削氷台に押さえつけて回転させ、前記切削刃で氷塊を削り取るかき氷製造機に用いられるものであり、カップ状をなし、その開口から入れられた液体を凍らせることによって前記氷塊を形成するものである。
【０００７】
そして、底部に貫通孔が形成されたカップ本体と、前記貫通孔を液密に閉塞する底板部材とを具備し、前記貫通孔が前記押さえ部材を挿入可能な大きさであるとともに、前記底板部材が、その外面に前記押さえ部材が当接して前記開口側に向かう所定力を受けると、前記カップ本体から開口側に離脱するように構成されたものであることを特徴とする。
【０００８】
このようなものであれば、氷塊を収容した氷容器を、その開口が前記削氷台を向くように該削氷台上に設置し、押さえ部材によって底板部材の外面を押さえ付ければ、底板部材には開口側に向かう力、すなわち、カップ本体から離れる方向の力が作用し、氷塊は底板部材と密接したまま、カップ本体から外れ、押さえ部材により底板部材を介して削氷台に押さえ付けられる。
この状態で、押さえ部材を回転させると、氷塊が、底板部材を間に挟んで該底板部材とともに回転し、切削刃によって削られてかき氷が作られることとなる。
したがって、かき氷を作る際に、そもそもオペレータが氷塊に直接触れる工程が全くなく、衛生状態を良好に保つことが可能になる。
【０００９】
前記カップ本体の内径が開口側に向かうにつれ大きくなるように構成してあるものであれば、氷塊が外れやすくなる上、底板部材を楔作用によって密着させやすくなり、氷塊となる液体を注いだときの液漏れを好適に防止できる。
【００１０】
前記底板部材が、平板状をなす底板本体と、該底板本体の周縁から周回するように起立する起立壁とを具備したものであり、前記起立壁の外周面が前記カップ本体の内周面に密着するように構成してあるものであれば、特に楔作用が顕著となる。
底板部材を、押さえ部材と滑ることなく供回りさせるためには、前記底板部材の外面に、前記押さえ部材と係合するための係合部が設けられているものが好ましい。
氷塊を、前記底板部材と滑ることなく供回りさせるためには、前記底板部材の内面に氷と係合するための凹凸部が設けられているものが好ましい。
【発明の効果】
【００１１】
このようなものであれば、構造上、オペレータが氷塊に直接触ることなく、かき氷を作ることができるので、極めて良好な衛生環境を担保することができるようになる。
【図面の簡単な説明】
【００１２】
【図１】本発明の一実施形態におけるかき氷製造機を示す模式図。
【図２】同実施形態における氷容器を示す縦断面図。
【図３】同実施形態における氷容器を開口側から視た分解斜視図。
【図４】同実施形態におけるかき氷の作り方を説明するための説明図。
【図５】同実施形態におけるかき氷の作り方を説明するための説明図。
【図６】同実施形態におけるかき氷の作り方を説明するための説明図。
【図７】同実施形態におけるかき氷の作り方を説明するための説明図。
【図８】本発明の他の実施形態における底板部材及び押さえ部材を示す斜視図。
【図９】本発明のさらに他の実施形態におけるかき氷製造機によって、かき氷を作る過程を示した図面。
【図１０】本発明のさらに他の実施形態におけるカップ本体を示す平面図及び縦断面図。
【図１１】同実施形態における底板部材を示す平面図及び縦断面図。
【図１２】同実施形態における開口側から視た氷容器の分解斜視図。
【図１３】同実施形態における氷容器の底面側から視た斜視図。
【図１４】同実施形態における氷容器を削氷台へ設置し、氷を削氷台へ載置するまでの手順を示す説明図。
【発明を実施するための形態】
【００１３】
本発明の一実施形態を、図面を参照して説明する。
【００１４】
この実施形態におけるかき氷製造機１００は、図１に示すように、表面に氷塊が戴置される削氷台１０１と、該削氷台１０１の表面に所定距離だけ突出するように設けられた切削刃１０４と、前記削氷台１０１の表面に対向するように配置された、例えば円盤状をなす押さえ部材１０２と、前記押さえ部材１０２を削氷台１０１側に向かって押さえつけながら回転させる、ハンドルや軸、ばねなどから構成された回転押圧機構１０３とを具備した既存のものである。
【００１５】
そして、前記削氷台１０１上に戴置した氷塊を前記押さえ部材１０２及び回転押圧機構１０３によって削氷台１０１上に押さえつけながら回転させることによって、前記切削刃１０４によって氷塊の表面を削りとり、かき氷を作ることができるように構成してある。
【００１６】
しかして、この実施形態においては、図２、図３に示す氷容器１によって氷塊Ａが形成される。
該氷容器１は、一端に開口Ｐが設けられ、他端が閉塞された断面円形のカップ状をなす例えば樹脂製のものであり、前記開口Ｐから注がれた液体を凍らせることによって略円柱状の氷塊Ａを形成する。しかして、この実施形態では、この氷容器１が、主として側周部を形成するカップ本体２と、該カップ本体２と分離可能に設けられ、主として底部を形成する底板部材３とから構成されている。
各部を説明する。
【００１７】
カップ本体２は、概略円筒状をなし一端が前記開口Ｐを形成する側周壁２１と、開口Ｐから外側に延出する外向き鍔２３と、該側周壁２１の他端から軸線Ｃに向かって延出する内向き鍔２２とを一体に形成したものである。言い換えれば、このカップ本体２は、底の中心に貫通孔２ａが設けられたカップ状をなすものである。なお、この貫通孔２ａは、前記押さえ部材１０２よりも大きな径に設定してある。
【００１８】
このカップ本体２の内周面２ｂ、すなわち側周壁２１の内周面２ｂは、軸線Ｃ方向に対して平行ではなく、開口Ｐに向かうにつれ、内径が拡大するように、やや傾斜したテーパ面となっている。
【００１９】
底板部材３は、概略円盤状をなす底板本体３１と、該底板本体３１の周縁から周回して起立する起立壁３２とを一体に備えたものである。そして、この底板部材３をカップ本体２に取り付けた状態では、図２に示すように、前記底板本体３１の底面周縁部が、前記カップ本体２における内向き鍔２２の開口Ｐ側の面に密着し、あるいは／かつ、前記起立壁３２の外側周面３ａが、前記カップ本体２における内周面２ｂに密着するように構成してある。
なお、この実施形態において、該底板部材３の内面には、氷塊Ａと係合するための多数の（微細な）凹部（又は凸部）３ｂが設けてある。また、該底板部材３の外面には、押さえ部材と滑りなく係合するための係合部たる係合凹部（又は係合凸部）３ｃがエンボス加工などによって形成されている。
【００２０】
次に、このように構成したかき氷製造機１００及び氷容器１を用いて、オペレータがかき氷を作る手順について説明する。
オペレータは、まず、カップ本体２の開口Ｐから底板部材３を挿入して氷容器１を組み立てる。このとき、特に、カップ本体２のテーパ状をなす内周面２ｂに、底板部材３における起立壁３２の外側周面が楔作用によって密着するので、この底板部材３による貫通孔の閉塞性が担保され、これらカップ本体２と底板部材３とが液密に密着する。
【００２１】
その後、氷容器１の開口Ｐを上にして、この開口Ｐから氷となる液体を注ぎ入れる。液体の自重で、底板部材３はカップ本体２に密着する方向に押されるので、液密性はより向上する。
このようにして液体を注ぎいれた氷容器１を冷凍庫などで冷やし、図４に示すように、液体を凍らせて、氷塊Ａを生成する。
次に、オペレータは、氷塊Ａを収容した氷容器１を、図５に示すように、その開口Ｐが前記削氷台１０１の表面を向くようにして、該削氷台１０１の所定位置に設置する。
【００２２】
そして、オペレータは、氷容器１の高さ寸法よりも削氷台１０１から離れた初期位置にある押さえ部材１０２を、削氷台１０１側に向かって動かして、氷容器１の貫通孔２ａを通過させ、底板部材３の外面を押圧する。
【００２３】
このことによって、底板部材３には開口Ｐ側に向かう力、すなわち、カップ本体２から離れる方向の力が作用し、図６に示すように、底板部材３は氷塊Ａに密接したまま、氷塊Ａとともにカップ本体２から外れる。そして、氷塊Ａは、押さえ部材１０２により底板部材３を介して削氷台１０１の表面に押さえ付けられる。また、このとき、押さえ部材１０２の表面に設けられた複数の突起が、底板部材３の外面に（設けられた凹部３ｃに）喰い込む。
【００２４】
この状態で、押さえ部材１０２を回転させると、氷塊Ａが、底板部材３を間に挟んで該底板部材３とともに回転し、切削刃１０４によって削られてかき氷が作られていく。
【００２５】
このようにして氷塊Ａが削られている過程において、カップ本体２は、氷塊Ａ及び底板部材３とは離れているので、削氷台１０１上を動くことはなく、押さえ部材１０２は、該カップ本体２の貫通孔２ａを通過し、削氷台１０１に向かって進行していく（図７参照）。
【００２６】
氷塊Ａを所定量削り終わった後は、押さえ部材１０２を前記初期位置に戻し、カップ本体２及び底板部材３を取り除き、削氷台１０１を清掃するなどして、作業を終了する。
【００２７】
しかして、このような構成であれば、かき氷を作る際に、そもそもオペレータが氷塊Ａに直接触れる工程が全くないので、極めて良好な衛生状態を保つことができる。
【００２８】
また、前記特許文献２にも示されているように、従来、押さえ部材１０２が氷塊Ａを直接押さえる構造であったため、清掃しにくい押さえ部材１０２が汚れるという問題があったが、この構成によれば、押さえ部材１０２が直接氷塊Ａに触れることがないので、この点においても衛生状態を良好に保つことができる。なお、唯一、氷塊と接触する削氷台１０１と切削刃１０４は、上部からの水洗いなど、清掃が簡単なので、清潔性を保つことは容易である。
【００２９】
なお、本発明は、前記実施形態に限られるものではない。
例えば、氷容器１を削氷台１０１の所定位置に設置でき、かつ氷塊Ａから外れたカップ本体２がかき氷の製造中に動かないように、カップ本体２の位置決めと不測の回転抑止を図る位置決め構造を設けてもよい。位置決め構造の一例としては、図示しないが、カップ本体の開口縁から外側に向かって部分的に延出させた鍔部と、削氷台に設けられて、前記鍔部を移動できないように係止する係止爪とを具備したものを挙げることができる。
底板部材３には、必ずしも起立壁３２を設けなくともよく、液密性さえ担保できるのであれば、例えば、平板にするなどして構わない。
【００３０】
また、図８に示すように、押さえ部材１０２の外周縁を、例えばスプライン形状など、ギア的な形状にしておき、底板部材３の外面には、押さえ部材１０２と嵌合して噛み合うような形状の係合凹部３ｃを設けておいてもよい。このようにすれば、押さえ部材１０２と底板部材３が滑ることなく、確実に供回りする。
【００３１】
カップ本体２も、内向き鍔２２を必ずしも設ける必要はなく、単に円筒状のものであっても構わない。また、内周面２ｂをテーパ面とせず、軸線と平行にしても構わないが、テーパ面とすることにより、氷塊Ａが外れやすくなる上、底板部材３を楔作用によって密着させやすいという効果は得にくくなる。
【００３２】
さらにいえば、図９に示すように、削氷台１０１を、氷容器２の開口径よりも小さな径の、例えば円盤状のものにしてもよい。このような構成のかき氷製造機においては、冷凍した氷容器２を、その開口が削氷台１０１を向くように、該削氷台１０１上に設置した後、氷容器２の底板を押さえ部材１０２で押さえながら、氷容器２ごと、氷塊Ａを回転させてかき氷を作る。
【００３３】
かかる構造であれば、氷容器２として、前記実施形態のようなカップ本体と底板部材とに分離可能な構造のものを用いることなく、一般的なカップ状をなすものを用いることができる。なお、図９では、氷容器２に氷塊Ａと径合する。
【００３４】
さらに他の実施形態を図１０〜図１４を参照して説明する。
この実施形態では、図１０、図１２、図１３に示すように、氷容器１における底板部材３の中央に、外面から内面に向かって陥没する多角形状（ここでは正六角形状）の単一の凹部３ｃが設けてある。この凹部３ｃに六角柱状の押さえ部材１０２が外側から嵌合する。一方、この凹部３ｃは内面側から視ると突出しており、これが前記係合凸部３ｂとして氷塊Ａに係合する。
【００３５】
また、図１１、図１２、図１３に示すように、氷容器１におけるカップ本体２の外向き鍔２３には、その複数個所（ここでは２箇所）に、回転抑止孔２ｄが設けてある。一方、削氷台１０１には、図１４に示すように、前記回転抑止孔２ｄに貫通するピン９が立設してある。氷塊Ａを収容した氷容器２に削氷台１０１上に載置するときには、前記回転抑止孔２ｄにピン９が貫通するようにする。このことによって、削氷時に、カップ本体２が不測に回転することを防止できる。
【００３６】
さらにこの実施形態では、図１４に示すように、削氷台１０１の上に、所定の隙間を設けて配設したカップ載置台１１０が設けてあり、このカップ載置台１１０上に氷容器１が載置される。このカップ載置台１１０の中央には、氷塊Ａが通る孔ａａが設けてあり、前記押さえ部材１０２によって底板部材３が押圧されると、カップ本体２から氷塊Ａが外れ、前記孔ａａを通って削氷台１０１上に氷塊Ａが設置される。
【００３７】
なお、カップ載置台１１０と削氷台１０１との間に隙間を設けているのは、余剰氷片が詰まらないようにして洗い流しやすくするためである。また、カップ載置台１１０及びピン９は、清掃容易化のために、削氷台１０１から取り外せるようにもしてある。
その他、本発明は上記実施形態に限られず、その趣旨を逸脱しない範囲で種々の変形が可能であるのは言うまでもない。
【符号の説明】
【００３８】
１００・・・かき氷製造機
１０１・・・削氷台
１０２・・・押さえ部材
１０４・・・切削刃
１・・・氷容器
２・・・カップ本体
２ａ・・・貫通孔
３・・・底板部材
３１・・・底板本体
３２・・・起立壁
３ｂ・・・凹凸部
３ｃ・・・係合部（係合凹部）
Ａ・・・氷塊
Ｐ・・・開口
【図１】
2017101911.tif 000003
【図２】
2017101911.tif 000004
【図３】
2017101911.tif 000005
【図４】
2017101911.tif 000006
【図５】
2017101911.tif 000007
【図６】
2017101911.tif 000008
【図７】
2017101911.tif 000009
【図８】
2017101911.tif 000010
【図９】
2017101911.tif 000011
【図１０】
2017101911.tif 000012
【図１１】
2017101911.tif 000013
【図１２】
2017101911.tif 000014
【図１３】
2017101911.tif 000015
【図１４】
2017101911.tif 000016